(57)【要約】【課題】生地が伸縮している状態と収縮している状態とで異なる色彩を呈する新規な生地を提供する。【解決手段】本開示の一態様は、表面に複数の畝状の編組織が並んだ構造を備え、引張力の付与及び解除により伸張及び収縮する、リブ編みで編成された生地である。複数の畝状の編組織の間の基底部には、第１の色彩が付されている。複数の畝状の編組織の頂上部には、第１の色彩とは異なる第２の色彩が付されている。生地が収縮している状態では、複数の畝状の編組織における隣り合う編組織の頂上部の間隔が狭まることにより、頂上部に付された第２の色彩が寄せ集まるとともに第１の色彩が覆い隠される。生地に引張力が付与されて生地が伸張している状態では、隣り合う編組織の頂上部の間隔が拡大することにより、第１の色彩が露出するように構成されている。【選択図】図１
2019218640.tif 000002
【特許請求の範囲】
【請求項１】
表面に複数の畝状の編組織が並んだ構造を備え、引張力の付与及び解除により伸張及び収縮する、リブ編みで編成された生地であって、
前記複数の畝状の編組織の間の基底部には、第１の色彩が付されており、
前記複数の畝状の編組織の頂上部には、前記第１の色彩とは異なる第２の色彩が付されており、
前記生地が収縮している状態では、前記複数の畝状の編組織における隣り合う編組織の前記頂上部の間隔が狭まることにより、前記頂上部に付された前記第２の色彩が寄せ集まるとともに前記第１の色彩が覆い隠され、
前記生地に引張力が付与されて前記生地が伸張している状態では、前記隣り合う編組織の前記頂上部の間隔が拡大することにより、前記第１の色彩が露出するように構成されている生地。
【請求項２】
請求項１に記載の生地であって、
前記第１の色彩が、プリントによって前記基底部に付されている、生地。
【請求項３】
請求項２に記載の生地であって、
前記生地の表側及び裏側の両側に前記第１の色彩に係るプリントが施されている、生地。
【請求項４】
請求項１に記載の生地であって、
前記第１の色彩が、染色によって前記基底部に付されている、生地。
【請求項５】
表面に複数の畝状の編組織が並んだ構造を備え、引張力の付与及び解除により伸張及び収縮する、リブ編みで編成され、色彩が付された生地の製造方法であって、
前記表面のうち少なくとも前記複数の畝状の編組織の間の基底部に第１の色彩を付すことと、
前記複数の畝状の編組織の前記頂上部に前記第１の色彩と異なる第２の色彩を付すことと、
を備える製造方法。
【請求項６】
請求項５に記載の製造方法であって、
前記表面のうち少なくとも前記複数の畝状の編組織の間の基底部に第１の色彩を付すときに前記生地を伸張させることと、
前記複数の畝状の編組織の前記頂上部に前記第２の色彩を付すときに前記生地を収縮させることと、
を更に備える製造方法。
【発明の詳細な説明】
【技術分野】
【０００１】
本開示は、生地に関する。
【背景技術】
【０００２】
特許文献１には、伸縮する生地の表面に生地を覆い隠す素材を貼り付け、生地が伸縮している状態と収縮している状態とで異なる色柄を呈する構成が記載されている。具体的には、生地の表面に複数の小片が互いに隣り合うように配置され、生地が収縮している状態では複数の小片によって生地の色柄が見えないようになっている。そして、生地が引っ張られて生地が伸張している状態では複数の小片の隙間から生地の色柄が現出する。
【先行技術文献】
【特許文献】
【０００３】
【特許文献１】特開２０１１−８７３号公報
【発明の概要】
【発明が解決しようとする課題】
【０００４】
本開示の一局面は、生地が伸縮している状態と収縮している状態とで異なる色彩を呈する新規な生地を提供することを目的としている。
【課題を解決するための手段】
【０００５】
本開示の一態様は、表面に複数の畝状の編組織が並んだ構造を備え、引張力の付与及び解除により伸張及び収縮する、リブ編みで編成された生地である。複数の畝状の編組織の間の基底部には、第１の色彩が付されている。複数の畝状の編組織の頂上部には、第１の色彩とは異なる第２の色彩が付されている。生地が収縮している状態では、複数の畝状の編組織における隣り合う編組織の頂上部の間隔が狭まることにより、頂上部に付された前記第２の色彩が寄せ集まるとともに第１の色彩が覆い隠される。生地に引張力が付与されて生地が伸張している状態では、隣り合う編組織の頂上部の間隔が拡大することにより、第１の色彩が露出するように構成されている。
【０００６】
このような構成によれば、生地が収縮している状態では、頂上部に付された第２の色彩が寄せ集まる一方、生地が伸張している状態では、第１の色彩が露出する。したがって、生地が伸縮している状態と収縮している状態とで異なる色彩を呈する新規な生地を提供することができる。
本開示の一態様では、第１の色彩が、プリントによって基底部に付されていてもよい。
【０００７】
このような構成によれば、第１の色彩を染色によって付す構成と比較して、第１の色彩として複雑な色彩を付すことができる。
本開示の一態様では、生地の表側及び裏側の両側に第１の色彩に係るプリントが施されていてもよい。
【０００８】
このような構成によれば、生地の表側又は裏側のいずれか片側のみに第１の色彩に係るプリントが施されている場合と比較して、基底部に第１の色彩をしっかりと付すことができる。
【０００９】
本開示の一態様では、第１の色彩が、染色によって基底部に付されていてもよい。
このような構成によれば、第１の色彩をプリントによって付す場合と比較して、より少ない作業工数で第１の色彩を基底部に十分に付すことができ得る。
【００１０】
本開示の一態様は、表面に複数の畝状の編組織が並んだ構造を備え、引張力の付与及び解除により伸張及び収縮するリブ編みで編成され、色彩が付された生地の製造方法である。当該製造方法は、生地を伸張させた状態で、表面のうち少なくとも複数の畝状の編組織の間の基底部に第１の色彩を付すことを備える。また、当該製造方法は、生地を収縮させ、複数の畝状の編組織における隣り合う編組織の頂上部の間隔を狭めた状態で、複数の畝状の編組織の頂上部に第１の色彩と異なる第２の色彩を付すことを備える。
【００１１】
このような製造方法によれば、生地が伸縮している状態と収縮している状態とで異なる色彩を呈する新規な生地を提供することができる。
本開示の一態様では、上記製造方法が、表面のうち少なくとも複数の畝状の編組織の間の基底部に第１の色彩を付すときに生地を伸張させることと、複数の畝状の編組織の頂上部に第２の色彩を付すときに生地を収縮させることと、を更に備えてもよい。
【００１２】
このような製造方法によれば、生地を伸張させずに基底部に第１の色彩を付す製造方法と比較して、基底部に第１の色彩を付しやすくできる。また、生地を収縮させずに頂上部に第２の色彩を付す製造方法と比較して、頂上部に第２の色彩を付しやすくできる。
【図面の簡単な説明】
【００１３】
【図１】図１は、収縮している状態の第１実施形態に係る生地の断面図である。
【図２】図２は、伸張している状態の第１実施形態に係る生地の断面図である。
【図３】図３は、収縮している状態の第２実施形態に係る生地の断面図である。
【図４】図４は、伸張している状態の第２実施形態に係る生地の断面図である。
【発明を実施するための形態】
【００１４】
以下、図面を参照しながら、本開示を実施するための形態を説明する。
［１．第１実施形態］
［１−１．構成］
図１及び図２に示す生地１は、リブ編みで編成された生地である。生地１は、表面に複数の畝状の編組織が並んだ構造を備える。具体的には、細長い畝状の編組織が多数平行に並列している。図１及び図２では、４つの畝状の編組織１１〜１４のみが示されている。そして、生地１は、引張力の付与及び解除により伸張及び収縮する。図１は、引張力が付与されておらず、生地１が収縮している状態、すなわち、生地１の常態を示す。生地１が収縮している状態では、隣り合う編組織１１〜１４の頂上部１１ａ〜１４ａの間隔が狭まり、編組織１１〜１４が寄せ集まる。一方、複数の編組織１１〜１４の並列方向（図１の左右方向）に引張力を付与することで、図２に示すように、生地１が伸張する。生地１が伸張すると、隣り合う編組織１１〜１４の頂上部１１ａ〜１４ａの間隔が拡大する。そして、引張力を解除することで、図１の状態に戻る。なお、図中、符号２１は、生地１を構成する糸を示す。また、生地１は、例えば衣類（トレーニングウェアなど）に使用される。
【００１５】
生地１の表面全体には第１の色彩（本実施形態ではレインボー色）が付されている。具体的には、生地１の表側及び裏側の両側にプリントによって第１の色彩が付されている。特に、基底部１１ｂ〜１３ｂの表面だけでなく頂上部１１ａ〜１４ａの表面にも第１の色彩が付されている。ここで、基底部１１ｂ〜１３ｂは、頂上部１１ａ〜１４ａの間に位置する、生地１の厚み方向の基底部である。
【００１６】
なお、図１及び図２では、符号３１及び３２は、プリントによって付された、第１の色彩の着色剤（染料又は顔料）を示す。また、生地１の表側は図中上側であり、生地１の裏側は図中下側である。生地１が衣類に使用される場合は、生地１の裏側がユーザの身体側に位置することが想定される。
【００１７】
なお、「第１の色彩」は、単一色から成っていてもよく複数色から成っていてもよい。また、「第１の色彩」は、色柄、絵柄、模様等を実現するものであってもよい。後述する「第２の色彩」についても同様である。
【００１８】
そして、生地１では、畝状の編組織１１〜１４の頂上部１１ａ〜１４ａに第１の色彩と異なる第２の色彩（本実施形態では黒色）が付されている。第２の色彩は、プリントによって付されている。すなわち、頂上部１１ａ〜１４ａの表側において第１の色彩の上から第２の色彩が付される。図１及び図２では、符号４１〜４４は、プリントによって付された、第２の色彩の着色剤（染料又は顔料）を示す。
【００１９】
なお、本実施形態では、図１及び図２に示すように、頂上部１１ａ〜１４ａの一部（最頂部近傍）が、編組織１１〜１４の並列方向に沿って略平坦に構成されている。このため、第２の色彩が頂上部１１ａ〜１４ａに乗りやすくなっている。
【００２０】
生地１の外観上視認される色は、生地１が収縮している状態と伸張している状態とで変化する。すなわち、引張力が付与されておらず、生地１が収縮している状態（図１の状態）では、隣り合う編組織１１〜１４の頂上部１１ａ〜１４ａの間隔が狭まり、隣り合う編組織１１〜１４が寄せ集まる。その結果、生地１の表側において、頂上部１１ａ〜１４ａに付された第２の色彩が寄せ集まるとともに、頂上部１１ａ〜１４ａによって基底部１１ｂ〜１４ｂ、ひいては第１の色彩が覆い隠される。このため、生地１が収縮している状態（すなわち常態）では、生地１を表側から見たときに、主として第２の色彩（黒色）が視認され、生地１は外観上第２の色彩に見える。
【００２１】
なお、ここでいう「覆い隠す」とは、生地１が伸張している状態と比較して第１の色彩が頂上部１１ａ〜１４ａによって覆い隠されていればよく、第１の色彩（すなわち、基底部１１ｂ〜１３ｂ）が外観上全く視認できないように完全に覆い隠されている必要はない。特に、ここでいう「覆い隠す」とは、頂上部１１ａ〜１４ａによって第１の色彩が部分的に覆い隠されている状態を含む概念である。
【００２２】
なお、本実施形態では、各頂上部１１ａ〜１４ａにおいて、上記平坦部及びその近傍（基底部１１ｂ〜１３ｂに向かって糸２１が湾曲している部分の一部）に第２の色彩の着色剤が付着されている。このため、生地１が収縮している状態で、隣り合う頂上部１１ａ〜１４ａに付された第２の色彩の隙間が小さくなり、第２の色彩の隙間から第１の色彩が見えづらくなっている。
【００２３】
一方、生地１に引張力が付与されて生地１が伸張している状態（図２の状態）では、隣り合う編組織１１〜１４の頂上部１１ａ〜１４ａの間隔が拡大する。そして、生地１の表側において、隣り合う頂上部１１ａ〜１４ａの間から基底部１１ｂ〜１４ｂ、ひいては第１の色彩が露出する。このため、生地１が伸張している状態では、生地１を表側から見たときに、主として第１の色彩（レインボー色）が視認され、生地１は外観上第１の色彩に見える。
【００２４】
なお、本実施形態では、生地１を構成するため、伸縮性のある弾性糸を数パーセント使用し、プリント及び染色に適した糸（伸縮性が乏しい糸）を大部分使用する。具体的には、糸３１として、ポリウレタン性の弾性糸を８％、ポリエステル性の糸を９２％の割合で使用した糸を使用する。具体的には例えば、ポリウレタン性の弾性糸１本とポリエステル性の糸９本とを撚って糸３１を構成する。
【００２５】
次に、生地１の製造方法について説明する。
まず、第１及び第２の色彩が付与されていない状態のリブ編みで編成された生地を、引張力を付与することで伸張させる。そして、生地を伸張させている状態で、生地の表面全体にプリントによって第１の色彩を付す。特に、基底部１１ｂ〜１３ｂだけでなく頂上部１１ａ〜１４ａを含む表面全体に第１の色彩を付す。
【００２６】
本実施形態では、生地の表側及び裏側の両側からプリントを行う。すなわち、生地の片側（例えば表側）だけに対してプリントを行う場合、第１の色彩の着色剤３１が基底部１１ｂ〜１３ｂに十分に付着しない場合がある。なお、図１及び図２に示す例では、生地１の表側において、基底部１１ｂ〜１３ｂの方が頂上部１１ａ〜１４ａよりも着色剤３１の厚みが小さくなっている。このため、生地１の表側だけに対してプリントを行った場合、基底部１１ｂ〜１３ｂに十分に着色剤が付着せず、生地１を表側から見たときに基底部１１ｂ〜１３ｂにおいては生地の素材自体の色（例えば白色）が見える場合がある。このため、本実施形態では、生地の表側だけでなく裏側からも第１の色彩をプリントする。これにより、基底部１１ｂ〜１３ｂに第１の色彩を十分に付することができる。このように、生地の裏側に対してプリントを行うことですることによって第１の色彩が基底部７１ａ〜７３ｂに付されてもよい。
【００２７】
なお、本実施形態のように第１の色彩が複数色からなり、色柄、模様を実現する場合において生地の両側からプリントするときは、生地の表側と裏側とで第１の色彩の色の配置が揃えることが望ましい。本実施形態では、プリント対象の布地が伸縮性の大きなリブ編みの生地であるため、生地の表側と裏側とで色の配置を揃える作業は手作業で行う。
【００２８】
続いて、生地１に付与されている引張力を解除し、生地を収縮させ、隣り合う編組織１１〜１４の頂上部１１ａ〜１４ａの間隔を狭めた状態（図１に示すような状態）で、頂上部１１ａ〜１４ａの表側にプリントによって第２の色彩（黒色）を付す。このように、色彩が付された生地１が製造される。
【００２９】
［１−２．効果］
以上詳述した第１実施形態によれば、以下の効果が得られる。
（１ａ）本実施形態では、基底部１１ｂ〜１３ｂには、第１の色彩が付されており、頂上部５４ａ〜５４ａには、第１の色彩とは異なる第２の色彩が付されている。そして、生地１が収縮している状態では、頂上部１１ａ〜１４ａの間隔が狭まることにより、頂上部１１ａ〜１４ａ（ひいては第２の色彩）が寄せ集まる。このため、頂上部１１ａ〜１４ａによって基底部１１ｂ〜１３ｂ（すなわち第１の色彩）が覆い隠される。また、生地１に引張力が付与されて生地１が伸張している状態では、頂上部１１ａ〜１４ａの間隔が拡大することにより、頂上部１１ａ〜１４ａの間の隙間から頂上部１１ａ〜１４ａによって覆い隠されていた基底部１１ｂ〜１３ｂ（すなわち第１の色彩）が露出する。したがって、生地１が伸縮している状態と収縮している状態とで異なる色彩を呈する新規な生地１を提供することができる。
【００３０】
また例えば、特許文献１に記載の構成では、伸縮する生地の表面に生地を覆い隠す素材を貼り付け、生地が伸縮している状態と収縮している状態とで異なる色彩を呈する構成が実現される。しかしながら、この構成では、生地を覆う素材が必要である。また、生地の表面に複数の小片を互いに隣り合うように配置する必要がある。これに対して、本実施形態に係る生地１では、生地１の一部である編組織１１〜１４の変位によって色彩の変化を実現する。このため、生地１を覆う上記素材が必要がない。また、製造工程において、上記素材を生地１の表面に配置する必要もない。したがって、特許文献１に記載の構成と比較して、製造費用を軽減できるとともに、作業工程を簡易化できる。
【００３１】
（１ｂ）本実施形態では、第１の色彩は、プリントによって基底部１１ｂ〜１３ｂに付されている。換言すれば、プリントによる着色剤であって第１の色彩を呈する着色剤が基底部１１ｂ〜１３ｂに付着している。したがって、例えば第１の色彩を染色によって付す構成と比較して、第１の色彩として複雑な色彩を付すことができる。
【００３２】
（１ｃ）特に、本実施形態では、生地１の表側及び裏側の両側に第１の色彩に係るプリントを施すことによって、第１の色彩が基底部１１ｂ〜１３ｂに付されている。換言すれば、プリントによる着色剤であって第１の色彩を呈する着色剤が生地１の表側及び裏側の両側に付着している。したがって、生地の表側又は裏側のいずれか片側のみに第１の色彩に係るプリントが施されている場合と比較して、基底部１１ｂ〜１３ｂに第１の色彩をしっかりと付すことができる。
【００３３】
（１ｄ）本実施形態では、基底部１１ｂ〜１３ｂに第１の色彩を付すときに生地を伸張させる。また、頂上部１１ａ〜１４ａに第２の色彩を付すときに生地を収縮させる。したがって、生地を伸張させずに基底部１１ｂ〜１３ｂに第１の色彩を付す製造方法と比較して、基底部１１ｂ〜１３ｂに第１の色彩を付しやすくできる。また、生地を収縮させずに頂上部１１ａ〜１４ａに第２の色彩を付す製造方法と比較して、頂上部１１ａ〜１４ａに第２の色彩を付しやすくできる。
【００３４】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００３５】
前述した第１実施形態では、第１の色彩がプリントによって付される。これに対し、第２実施形態では、第１の色彩が染色によって付される点で、第１実施形態と相違する。
図３及び図４には、第２実施形態に係る生地２が収縮している状態と伸張している状態とがそれぞれ示されている。生地２は、表面に複数の畝状の編組織が並んだ構造を備える。図３及び図４では、４つの畝状の編組織５１〜５４のみが示されている。
【００３６】
生地２の表側及び裏側の表面全体には、染色によって第１の色彩（本実施形態ではレインボー色）が付されている。すなわち、生地２を構成する糸６１に染料や色素をしみ込ませることで生地２の表面全体に第１の色彩が着色される。
【００３７】
そして、生地２では、編組織５１〜５４の頂上部５４ａ〜５４ｄに、第１実施形態と同様、プリントによって第２の色彩が付されている。図３及び図４では、符号６１〜６４は、プリントによって付された、第２の色彩の着色剤を示す。
【００３８】
次に、生地２の製造方法について説明する。
まず、第１及び第２の色彩が付与されていない状態のリブ編みで編成された生地を引張力を付与することで伸張させる。そして、生地を伸張させている状態で、染色によって生地に第１の色彩を付す。これにより、頂上部５４ａ〜５４ｄ及び基底部７１ａ〜７３ｂを含む生地の表面全体に第１の色彩が付される。
【００３９】
なお、染色は、プリントよりも染料が糸６１に浸透する度合いが高い。このため、本実施形態では、生地の表側又は裏側の一方向だけから染色作業が行われる。すなわち、染色作業は１回だけ行われる。
【００４０】
続いて、生地に付与されている引張力を解除し、生地を収縮させ、隣り合う畝状の編組織の頂上部５１ａ〜５４ａの間隔を狭めた状態（図３に示すような状態）で、頂上部５４ａ〜５４ａにプリントによって第２の色彩（本実施形態では黒色）を付す。このように、色彩が付された生地２が製造される。
【００４１】
このように製造された生地２は、第１の実施形態と同様、図３に示すように生地１が収縮している状態では、頂上部５４ａ〜５４ａによって基底部７１ａ〜７３ｂ、ひいては第１の色彩が覆い隠され、生地２が外観上第２の色彩（黒色）に見える。一方、図４に示すように生地２が伸張している状態では、頂上部５４ａ〜５４ａの間隔が拡大し、基底部７１ａ〜７３ｂ、ひいては第１の色彩が露出し、生地２が外観上第１の色彩（レインボー色）に見える。
【００４２】
［２−２．効果］
以上詳述した第２実施形態によれば、前述した第１実施形態の効果（１ａ）に加え、以下の効果が得られる。
【００４３】
本実施形態では、第１の色彩が、染色によって基底部７１ａ〜７３ｂに付されている。したがって、第１の色彩をプリントによって付す場合と比較して、少ない作業工数で第１の色彩を基底部７１ａ〜７３ｂに十分に付すことができ得る。すなわち、第１の色彩をプリントで付す場合、基底部７１ａ〜７３ｂに第１の色彩を十分に付すために、生地の表側及び裏側の両側に対してプリントを行わなければならない場合がある。この場合、プリントを２回施す必要がある。これに対して、第１の色彩を染色によって付すことで、生地の表側又は裏側の一方向だけからの一回の染色作業で第１の色彩を基底部７１ａ〜７３ｂに十分に付すことができ得る。したがって、第１の色彩をプリントによって付す場合と比較して、より少ない作業工数で第１の色彩を基底部７１ａ〜７３ｂに十分に付すことができ得る。
【００４４】
［３．他の実施形態］
以上、本開示を実施するための形態について説明したが、本開示は上述の実施形態に限定されることなく、種々変形して実施することができる。
【００４５】
（１）上記第１実施形態では、生地１は、表面において複数の畝状の編組織１１〜１４が平行に並列した構造を備えるが、生地の構造はこれに限られない。例えば、生地は、表面において多数の畝状の編組織が互いに交わった構造を備えてもよい。具体的には、生地は、表面において畝状の編組織が、格子状又はハニカム状等に配列された構成であってもよい。この場合、生地は、複数方向に収縮及び伸張する構成であってもよい。上記第２実施形態においても同様である。
【００４６】
（２）上記各実施形態では、リブ編みで編成された生地に対してプリント又は染色を行うことで第１の色彩及び第２の色彩が付されるが、第１の色彩及び第２の色彩を付す方法はこれに限られない。例えば、あらかじめ着色された糸を使用して生地を編むことで、第１の色彩又は第２の色彩が付されてもよい。ただし、リブ編みで編成された生地に対してプリント又は染色を行う方が細やかな色彩を付すことができ得る。
【００４７】
（３）上記第１実施形態において、生地１の表側又は裏側の片側だけに対してプリントを行うことで第１の色彩が付されてもよい。
（４）上記第２実施形態において、第１の色彩を付すために複数回の染色作業が行われてもよい。この場合において、生地２の表側及び裏側の両方向からの２回の染色作業が行われてもよい。
【００４８】
（５）上記第１実施形態では、頂上部１１ａ〜１４ａ及び基底部１１ｂ〜１３ｂを含む、生地１の表面全体に第１の色彩が付されるが、第１の色彩の付し方はこれに限られない。例えば、頂上部１１ａ〜１４ａには第１の色彩を付さず、基底部７１ａ〜７３ｂのみに第１の色彩を付してもよい。
（６）上記各実施形態において、生地を伸張させずに生地に第１の色彩を付してもよい。また、生地を収縮させずに生地に第２の色彩を付してもよい。
【００４９】
（７）上記各実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記各実施形態の構成の一部を省略してもよい。また、上記各実施形態の構成の少なくとも一部を、他の上記各実施形態の構成に対して付加又は置換してもよい。なお、特許請求の範囲に記載した文言によって特定される技術思想に含まれるあらゆる態様が本開示の実施形態である。
【符号の説明】
【００５０】
１，２…生地、１１〜１４，５１〜５４…編組織、
１１ａ〜１４ａ，５１ａ〜５４ａ…頂上部、
１１ｂ〜１３ｂ，７１ａ〜７３ａ…基底部。
【図１】
2019218640.tif 000003
【図２】
2019218640.tif 000004
【図３】
2019218640.tif 000005
【図４】
2019218640.tif 000006
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
表面に複数の畝状の編組織が並んだ構造を備え、引張力の付与及び解除により伸張及び収縮する、リブ編みで編成された生地であって、
前記複数の畝状の編組織の間の基底部には、前記生地の素材自体の色とは異なる第１の色彩がプリントによって付されており、
前記複数の畝状の編組織の頂上部には、前記第１の色彩とは異なる第２の色彩がプリントによって付されており、
前記生地が収縮している状態では、前記複数の畝状の編組織における隣り合う編組織の前記頂上部の間隔が狭まることにより、前記頂上部に付された前記第２の色彩が寄せ集まるとともに前記第１の色彩が覆い隠され、
前記生地に引張力が付与されて前記生地が伸張している状態では、前記隣り合う編組織の前記頂上部の間隔が拡大することにより、前記第１の色彩が露出するように構成されている生地。
【請求項２】
請求項１に記載の生地であって、
前記生地が、ポリウレタン製の弾性糸を用いて構成されている、生地。
【請求項３】
請求項１又は請求項２に記載の生地であって、
前記生地の表側及び裏側の両側に前記第１の色彩に係るプリントが施されている、生地。
【請求項４】
表面に複数の畝状の編組織が並んだ構造を備え、引張力の付与及び解除により伸張及び収縮する、リブ編みで編成され、色彩が付された生地の製造方法であって、
前記表面のうち少なくとも前記複数の畝状の編組織の間の基底部に前記生地の素材自体の色とは異なる第１の色彩をプリントによって付すことと、
前記複数の畝状の編組織の前記頂上部に前記第１の色彩と異なる第２の色彩をプリントによって付すことと、
を備える製造方法。
【請求項５】
請求項４に記載の製造方法であって、
前記表面のうち少なくとも前記複数の畝状の編組織の間の基底部に第１の色彩を付すときに前記生地を伸張させることと、
前記複数の畝状の編組織の前記頂上部に前記第２の色彩を付すときに前記生地を収縮させることと、
を更に備える製造方法。
【手続補正２】
【補正対象書類名】明細書
【補正対象項目名】００２４
【補正方法】変更
【補正の内容】
【００２４】
なお、本実施形態では、生地１を構成するため、伸縮性のある弾性糸を数パーセント使用し、プリント及び染色に適した糸（伸縮性が乏しい糸）を大部分使用する。具体的には、糸３１として、ポリウレタン製の弾性糸を８％、ポリエステル製の糸を９２％の割合で使用した糸を使用する。具体的には例えば、ポリウレタン製の弾性糸１本とポリエステル製の糸９本とを撚って糸３１を構成する。